(57)【要約】【課題】多室型空気調和装置において、冷房運転では１つの室内機のみの運転、暖房運転では全室内機運転のように蒸発能力に対し凝縮能力が極端に大きくなる条件では、凝縮温度が大きく低下し、圧縮機の凝縮温度下限を遵守できず信頼性を損なうといった課題があり、これを解消する運転制御方法の提供を目的とする。【解決手段】多室型空気調和装置の冷房運転において、凝縮温度Ｔｃを検出し、所定の凝縮温度Ｔｃ１以下に低下した場合には室外送風機３を一定時間停止させる。またさらに低く設定した所定の凝縮温度Ｔｃ２以下に低下した場合には圧縮機１を停止させることにより、圧縮機の凝縮温度下限を遵守でき、圧縮機の信頼性を確保できる。【選択図】図２
2006308221.tif 000002
【特許請求の範囲】
【請求項１】
能力可変型圧縮機と、室外側熱交換器と、室外送風機と、減圧自在な電動式膨張弁と、冷房運転と暖房運転を切換える四方弁と、室外熱交換器温度検出手段とを備える室外機に、室内側熱交換器と、室内送風機と、減圧自在な電動式膨張弁とを備える室内機を複数接続して形成される多室型空気調和装置において、冷房運転時、室外熱交換器温度検出手段が検出した凝縮温度が所定の温度以下に低下した場合には室外送風機を一定時間停止させ、さらに凝縮温度が別に設定した所定温度以下に低下した場合には圧縮機を停止させることを特徴とした空気調和装置の運転制御方法。
【請求項２】
請求項１に記載の多室型空気調和装置において、複数の室内機に室内熱交換器温度検出手段を備え、暖房運転時、運転している全室内機の室内熱交換器温度検出手段が検出した凝縮温度が所定の温度以下に低下した場合には室外送風機を最大回転数で運転し、さらに運転している全室内機の凝縮温度が別に設定した所定温度以下に低下した場合には圧縮機を停止させることを特徴とした空気調和装置の運転制御方法。
【発明の詳細な説明】
【技術分野】
【０００１】
本発明は、空気調和装置の運転制御方法に関するもので、特に凝縮温度低下時の圧縮機の保護のための運転制御方法に関するものである。
【背景技術】
【０００２】
低外気温度下での冷房運転において、凝縮温度が低下した場合、液状態の冷媒の循環が多くなって圧縮機の破損の可能性が高くなるなど信頼性が低下するため、凝縮温度が下がり過ぎないようにする技術が開示されている（例えば、特許文献１参照）。
特許文献１に示される空気調和装置の運転制御方法は、図４の動作フローチャートに示すように、室外送風機の回転数を段階的に低下させ、凝縮温度低下を防止するというものである。
【特許文献１】特開平５−１８５８９号公報
【発明の開示】
【発明が解決しようとする課題】
【０００３】
しかしながら、複数の室内機が存在する多室型空気調和装置においては、凝縮温度の低下する条件として、例えば冷房運転では低外気温度下での運転のみならず、１台の室内機のみの運転時のように、蒸発能力に対して凝縮能力が極端に大きくなり凝縮温度が圧縮機の信頼性を損なう領域まで低下するといった運転条件が存在する。
【０００４】
本発明は、上記従来の課題を解決するもので、冷房では１つの室内機のみの運転時、暖房では全室内機運転時のような、蒸発能力に対して凝縮能力が極端に大きくなるような運転条件においても、圧縮機の信頼性を損なう凝縮温度領域まで低下させない運転制御方法の提供を目的とする。
【課題を解決するための手段】
【０００５】
上記課題を解決するために本発明は、冷房運転時に蒸発能力に対して凝縮能力が極端に大きくなるような運転条件において、凝縮温度が所定の温度以下に低下した場合には室外送風機を一定時間停止させて凝縮温度の低下を抑制し、それでもさらに凝縮温度が別に設けた所定温度以下に低下した場合には圧縮機を停止させるもので、これにより圧縮機の故障を防止する。
【０００６】
また、暖房運転時に蒸発能力に対して凝縮能力が極端に大きくなるような運転条件において、運転している全室内機の凝縮温度が所定の温度以下に低下した場合には室外送風機を最大回転数で運転して凝縮温度の低下を抑制し、それでもさらに運転している全室内機の凝縮温度が別に設けた所定温度以下に低下した場合には圧縮機を停止させるもので、これにより圧縮機の故障を防止するものである。
【発明の効果】
【０００７】
以上のように本発明の運転制御方法は、多室型空気調和装置凝縮温度が低下した際に、冷房、暖房いずれの場合においても室外送風機の回転数を制御する方法と圧縮機を停止する方法の２段階の運転制御方法により、圧縮機の凝縮温度下限を遵守し、信頼性を確保することができる。
【発明を実施するための最良の形態】
【０００８】
第１の発明は、能力可変型圧縮機と、室外側熱交換器と、室外送風機と、減圧自在な電動式膨張弁と、冷房運転と暖房運転を切換える四方弁と、室外熱交換器温度検出手段とを
備える室外機に、室内側熱交換器と、室内送風機と、減圧自在な電動式膨張弁とを備える室内機を複数接続して形成される多室型空気調和装置において、冷房運転時、室外熱交換器温度検出手段が検出した凝縮温度が所定の温度以下に低下した場合には室外送風機を一定時間停止させ、さらに凝縮温度が別に設定した所定温度以下に低下した場合には圧縮機を停止させるもので、冷房運転時に蒸発能力に対して凝縮能力が極端に大きくなるような運転条件において、凝縮温度が所定の温度以下に低下した場合には室外送風機を一定時間停止させ、さらに凝縮温度が別に設けた所定温度以下に低下した場合には圧縮機を停止させることにより、圧縮機の信頼性を確保できる。
【０００９】
第２の発明は、第１の発明において、複数の室内機に室内熱交換器温度検出手段を備え、暖房運転時、運転している全室内機の室内熱交換器温度検出手段が検出した凝縮温度が所定の温度以下に低下した場合には室外送風機を最大回転数で運転し、さらに運転している全室内機の凝縮温度が別に設定した所定温度以下に低下した場合には圧縮機を停止させるもので、全室内機暖房運転のような、蒸発能力に対し凝縮能力が極端に大きくなるような運転条件において、運転している全室内機の凝縮温度が所定の温度以下に低下した場合には室外送風機を最大回転数で運転し、さらに運転している全室内機の凝縮温度が別に設けた所定温度以下に低下した場合には圧縮機を停止させることにより、圧縮機の信頼性を確保できる。
【００１０】
以下、本発明の実施の形態について、図面を参照しながら説明する。なお、本実施の形態によって本発明が限定されるものではない。
【００１１】
（実施の形態１）
図１は、本発明の第１の実施の形態における空気調和装置の冷凍サイクル図である。図１において、冷凍サイクルは能力可変型圧縮機１、室外側熱交換器２、室外送風機３、減圧自在な室外機電動式膨張弁４、冷房運転と暖房運転を切換える四方弁５、室外熱交換器温度検出手段６とからなる室外機７に、室内側熱交換器８、室内送風機９、減圧可能な室内機電動式膨張弁１０、室内熱交換器温度検出手段１１とからなる室内機１２が複数台、並列に接続されて構成されている。冷媒の流れについては、冷房時を実線の矢印で示し、暖房時は破線の矢印で示す。
【００１２】
図２は、本発明の第１の実施の形態における空気調和装置の運転制御方法のフローチャートである。図２において、凝縮温度第１下限値Ｔｃ１及び凝縮温度第２下限値Ｔｃ２は予め設定されている。この時Ｔｃ１＞Ｔｃ２である。冷房運転時、室外熱交換器温度検出手段６により凝縮温度Ｔｃを検出し、まずＴｃ１と比較する。ここでＴｃ＜Ｔｃ１でなければ凝縮温度Ｔｃの検出に戻り、Ｔｃ＜Ｔｃ１であれば凝縮温度Ｔｃを凝縮温度第２下限値Ｔｃ２と比較する。ここでＴｃ＜Ｔｃ２でなければ室外送風機３を一定時間（例えば３０秒間）停止する。そして、Ｔｃ＜Ｔｃ２であれば圧縮機１を停止する。
【００１３】
言い換えると、凝縮温度Ｔｃを検出してＴｃ２＜Ｔｃ＜Ｔｃ１であれば室外送風機３を一定時間停止し、Ｔｃ＜Ｔｃ２であれば圧縮機１を停止する。
【００１４】
これらの動作により、凝縮温度の低下を抑制し圧縮機の凝縮温度下限値を遵守でき、圧縮機の信頼性を確保することができる。
【００１５】
（実施の形態２）
図３は、本発明の第２の実施の形態における空気調和装置の運転制御方法のフローチャートである。実施の形態１と同様、凝縮温度第１下限値Ｔｃ１及び凝縮温度第２下限値Ｔｃ２は予め設定されている。この時Ｔｃ１＞Ｔｃ２である。暖房運転時、運転している全ての室内機１２について室内熱交換器温度検出手段１１により凝縮温度Ｔｃを検出し、ま
ずＴｃ１と比較する。ここで運転している全室内機でＴｃ＜Ｔｃ１でなければ室内機１２の凝縮温度Ｔｃの検出に戻り、Ｔｃ＜Ｔｃ１であれば凝縮温度Ｔｃを凝縮温度第２下限値Ｔｃ２と比較する。ここでＴｃ＜Ｔｃ２でなければ室外送風機３を最大回転数で運転する。但し、その後運転している室内機の内、１台でもＴｃ＜Ｔｃ１の条件から外れた場合は、室外送風機３を通常の回転数に戻す。そして、運転している全室内機でＴｃ＜Ｔｃ２であれば圧縮機１を停止する。
【００１６】
これらの動作により、凝縮温度の低下を抑制し圧縮機の凝縮温度下限値を遵守でき、圧縮機の信頼性を確保することができる。
【産業上の利用可能性】
【００１７】
本発明の運転制御方法は、多室型空気調和装置に限定されるものではなく、１対の室内機と室外機からなる空気調和装置にも適用できる。
【図面の簡単な説明】
【００１８】
【図１】本発明の実施の形態１における空気調和装置の冷凍サイクル図
【図２】本発明の実施の形態１における空気調和装置の運転制御方法のフローチャート
【図３】本発明の実施の形態２における空気調和装置の運転制御方法のフローチャート
【図４】従来の空気調和装置の運転制御方法のフローチャート
【符号の説明】
【００１９】
１  能力可変型圧縮機
２  室外側熱交換器
３  室外送風機
４  室外機電動式膨張弁
５  四方弁
６  室外熱交換器温度検出手段
７  室外機
８  室内側熱交換器
９  室内送風機
１０  室内機電動式膨張弁
１１  室内熱交換器温度検出手段
１２  室内機
Ｔｃ  凝縮温度
Ｔｃ１  凝縮温度第１下限値
Ｔｃ２  凝縮温度第２下限値
【図１】
2006308221.tif 000003
【図２】
2006308221.tif 000004
【図３】
2006308221.tif 000005
【図４】
2006308221.tif 000006